(57)【要約】【課題】  後で用途を変更する場合に，パーツを取り替えるだけで自在に用途を変更することができる棚部材及び該棚部材を用いたシェルフ，水切り棚，ブックスタンド，収納ボックスを提供する。【解決手段】  棚部材１を，背板部２と，該背板部２の下端部に配設された底板部３と，で構成し，上記背板部２の平面部と，該背板部２及び底板部３の側部２Ａ，２Ａ，３Ａ，３Ａにアタッチメント取付用のねじ孔部２Ｂ，３Ｂを複数個開設して構成し，これに適宜のアタッチメントを接続することで，シェルフ１０や水切り棚，ブックスタンド２０或は収納ボックス３０を形成する。【選択図】図１
2006212221.tif 000002
【特許請求の範囲】
【請求項１】
背部と，該背部の下端部に配設された底部と，を有して構成されてなり，上記背部の面部と，該背部及び底部の側部にアタッチメント取付用の孔部を複数個開設してなる棚部材。
【請求項２】
前記背部及び／又は底部は，板材で形成されていることを特徴とする請求項１に記載の棚部材。
【請求項３】
前記背部及び／又は底部は，線材で形成されていることを特徴とする請求項１に記載の棚部材。
【請求項４】
前記背部の上端部には，取付孔が開設された棚部材取付片が形成されていることを特徴とする請求項１乃至請求項３のいずれかに記載の棚部材。
【請求項５】
前記背部と底部の両側部に開設された孔部を利用して取り付けられる側板と，前記背部の面部に開設されたアタッチメント取付用の孔部を利用して後端部が止着具で係止保持される棚体と，から構成されてなる請求項１乃至請求項４のいずれかに記載の棚部材を用いたシェルフ。
【請求項６】
前記底板部には，水切り用の孔が複数開設されていることを特徴とする請求項１，請求項２又は請求項４のいずれかに記載の棚部材を用いた水切り棚。
【請求項７】
前記背部と底部の両側部に開設された孔部を利用して取り付けられる側板と，上記背部の前面側に取り付けられるブックホルダー体と，から構成されてなり，該ブックホルダー体は，前記背部の面部に開設されたアタッチメント取付用の孔部を利用して後端部が止着具で係止保持される水平部と，該水平部の前端部から斜め前方に傾斜する本受部と，該本受部下端から前方水平方向に伸び前記棚部材底部と接して保持される底部と，該底部前端部から上方向に伸びる係止部と，から構成されてなる請求項１乃至請求項４のいずれかに記載の棚部材を用いたブックスタンド。
【請求項８】
前記背部と底部の両側部に開設された孔部を利用して取り付けられる側板と，該両側板と底部とで囲繞された前方空間部を開閉する扉体と，から構成してなる請求項１乃至請求項４のいずれかに記載の棚部材を用いた収納ボックス。
【請求項９】
前記両側板の内側上部に水平にガイド部を設けると共に，前記扉体の上端両側部にガイド突起を突設し，各ガイド突起を両ガイド部に沿ってスライド自在に嵌合係止したことを特徴とする請求項８に記載の棚部材を用いた収納ボックス。
【発明の詳細な説明】
【技術分野】
【０００１】
この発明は，棚部材及び該棚部材を用いたシェルフ，水切り棚，ブックスタンド，収納ボックスに関する。
【背景技術】
【０００２】
キッチンの壁面に設置される棚としては，例えば特許文献１に示すオープン棚や，中間ボックス或はブックスタンド等，種々のものが提案されている。
【０００３】
【特許文献１】特開２００１−２１８６４１号公報
【発明の開示】
【発明が解決しようとする課題】
【０００４】
しかしながら，上記従来のキッチン壁面に設置されるオープン棚や中間ボックス或はブックスタンドにあっては，用途を変更することができない固定構造であるため，後で用途を変更したい場合には，新たに所望の棚やボックス或はブックスタンドを買い換えなければならない，という問題を有していた。
【０００５】
この発明は，かかる現状に鑑み創案されたものであって，その目的とするところは，後で用途を変更する場合に，パーツを取り替えるだけで自在に用途を変更することができる棚部材及び該棚部材を用いたシェルフ，水切り棚，ブックスタンド，収納ボックスを提供しようとするものである。
【課題を解決するための手段】
【０００６】
上記目的を達成するため，請求項１に記載の発明にあっては，棚部材を，背部と，該背部の下端部に配設された底部と，を有して構成されてなり，上記背部の面部と，該背部及び底部の側部にアタッチメント取付用の孔部を複数個開設して構成したことを特徴とするものである。
【０００７】
請求項２に記載の発明にあっては，請求項１に記載の棚部材を技術的前提とし，前記背部及び／又は底部は，板材で形成されていることを特徴とする。
【０００８】
請求項３に記載の発明にあっては，請求項１に記載の棚部材を技術的前提とし，前記背部及び／又は底部は，線材で形成されていることを特徴とする。
【０００９】
請求項４に記載の発明にあっては，請求項１乃至請求項３のいずれかに記載の棚部材を技術的前提とし，前記背部の上端部には，取付孔が開設された棚部材取付片が形成されていることを特徴とする。
【００１０】
請求項５に記載の発明にあっては，請求項１乃至請求項４のいずれかに記載の棚部材を用いたシェルフを，前記背部と底部の両側部に開設された孔部を利用して取り付けられる側板と，前記背部の面部に開設されたアタッチメント取付用の孔部を利用して後端部が止着具で係止保持される棚体と，から構成したことを特徴とする。
【００１１】
請求項６に記載の発明にあっては，請求項１，請求項２又は請求項４のいずれかに記載の棚部材を用いた水切り棚の前記底板部に，水切り用の孔を複数開設したことを特徴とする。
【００１２】
請求項７に記載の発明にあっては，請求項１乃至請求項４のいずれかに記載の棚部材を用いたブックスタンドを，前記背部と底部の両側部に開設された孔部を利用して取り付けられる側板と，上記背部の前面側に取り付けられるブックホルダー体と，から構成されてなり，該ブックホルダー体は，前記背部の面部に開設されたアタッチメント取付用の孔部を利用して後端部が止着具で係止保持される水平部と，該水平部の前端部から斜め前方に傾斜する本受部と，該本受部下端から前方水平方向に伸び前記棚部材底部と接して保持される底部と，該底部前端部から上方向に伸びる係止部と，から構成したことを特徴とする。
【００１３】
請求項８に記載の発明にあっては，請求項１乃至請求項４のいずれかに記載の棚部材を用いた収納ボックスを，前記背部と底部の両側部に開設された孔部を利用して取り付けられる側板と，該両側板と底部とで囲繞された前方空間部を開閉する扉体と，から構成したことを特徴とする。
【００１４】
請求項９に記載の発明にあっては，請求項８に記載の棚部材を用いた収納ボックスを技術的前提とし，前記両側板の内側上部に水平にガイド部を設けると共に，前記扉体の上端両側部にガイド突起を突設し，各ガイド突起を両ガイド部に沿ってスライド自在に嵌合係止したことを特徴とする。ガイド部は，ガイドレール又はガイド溝で形成される。
【発明の効果】
【００１５】
以上説明したように，請求項１に記載の発明にあっては，棚部材を，背部と，該背部の下端部に配設された底部と，を有して構成されてなり，上記背部の面部と，該背部及び底部の側部にアタッチメント取付用の孔部を複数個開設して構成したので，必要に応じてアタッチメント部材を揃えるだけで，シェルフから水切り棚へ，水切り棚からブックスタンドへ，或はブックスタンドから収納ボックスへ等，容易に用途を変更することができ，しかも，これに伴う費用を大幅に低減することができ，製造サイドにとっても，部品点数を削減し，歩留りも向上し，製造コストを大幅に低減することができる，という優れた効果が得られる。
【００１６】
請求項２に記載の発明にあっては，背部及び／又は底部は，板材で形成したので，必要な段数からなる中間ボックスやオープン棚等のシェルフを容易に組立てることができる。
【００１７】
請求項３に記載の発明にあっては，背部及び／又は底部は，線材で形成することで，軽量でメタリックな中間ボックスやオープン棚等のシェルフを得ることができる。この場合，背部や底部には網状の背凭れ部や物品受部を展張するのが望ましい。
【００１８】
請求項４に記載の発明にあっては，背部の上端部には，取付孔が開設された棚部材取付片を形成したので，例えば，吊戸棚や固定棚の下方に棚部材を容易に吊持することができ，キッチンの壁面を有効に無駄なく使用することができ，また，レイアウトや用途を容易に変更することができる。
【００１９】
請求項５に記載の発明にあっては，前記棚部材を用いたシェルフを，前記背部と底部の両側部に開設された孔部を利用して取り付けられる側板と，前記背部の面部に開設されたアタッチメント取付用の孔部を利用して後端部が止着具で係止保持される棚体と，から構成したので，側板と棚体とを用意するだけで，所望のシェルフを容易に組立てることができ，また，用意する部品も少なくて済むので，廉価に組立てることができる。
【００２０】
請求項６に記載の発明にあっては，前記底板部に，水切り用の孔を複数開設したので，シェルフを水切り棚に容易に変更することができる。
【００２１】
請求項７に記載の発明にあっては，前記棚部材を用いたブックスタンドを，前記背部と底部の両側部に開設された孔部を利用して取り付けられる側板と，上記背部の前面側に取り付けられるブックホルダー体と，から構成し，該ブックホルダー体は，前記背部の面部に開設されたアタッチメント取付用の孔部を利用して後端部が止着具で係止保持される水平部と，該水平部の前端部から斜め前方に傾斜する本受部と，該本受部下端から前方水平方向に伸び前記棚部材底部と接して保持される底部と，該底部前端部から上方向に伸びる係止部と，から構成したので，両側板とブックホルダー体とを用意するだけで，ブックスタンドを容易に組立てることができ，しかも，棚部材は共用できるので，廉価に用途を変更することができる。
【００２２】
請求項８に記載の発明にあっては，前記棚部材を用いた収納ボックスを，前記背部と底部の両側部に開設された孔部を利用して取り付けられる側板と，該両側板と底部とで囲繞された前方空間部を開閉する扉体と，から構成したので，両側板と扉体を用意するだけで，収納ボックスを容易に組立てることができ，しかも，棚部材は共用できるので，廉価に用途を変更することができる。
【００２３】
請求項９に記載の発明にあっては，前記両側板の内側上部に水平にガイド部を設けると共に，前記扉体の上端両側部にガイド突起を突設し，各ガイド突起を両ガイド部に沿ってスライド自在に嵌合係止したので，収納ボックスの左右に配置された他のシェルフやブックスタンドその他の器材が扉体を開けることで塞がれてその使用を妨げられる心配がなく，使い勝手がよい，という効果が得られる。
【発明を実施するための最良の形態】
【００２４】
以下，添付図面に示す発明の実施形態例に基づき，この発明を詳細に説明する。
【００２５】
図１は，この発明に係る棚部材の正面図，図２は同棚部材の背面図，図３は同棚部材の左側面図，図４は同棚部材の平面図，図５は同棚部材の底面図である。
【００２６】
この発明の基本構成材である棚部材１は，両端部が平面形状略コ字状に形成された背部２と，該背部２の下端部に配設された断面形状が略逆凹状に形成された底板部３と，から構成されている。
【００２７】
そして，上記背部２の平板部と，該背部２及び底板部３の側部２Ａ，２Ａ，３Ａ，３Ａには，アタッチメント取付用のねじ孔部２Ｂ，３Ｂが複数個開設されている。尚，この発明にあっては，前記背部及び／又は底部を，パイプ材等の線材で形成することで，耐水性に優れたメタリックで軽量な棚部材とすることもできる。
【００２８】
次に，このように構成されてなる棚部材１を用いてオープン棚となるシェルフ１０を構成する場合について説明する。
【００２９】
ここで，図６は同棚部材１を用いたシェルフ１０の正面図，図７は同シェルフ１０の左側面図，図８は同シェルフ１０の半截平面図及び半截底面図の合成図である。
【００３０】
この実施形態例に係るシェルフ１０は，前記構成からなる棚部材１と，前記背板部２と底板部３の両側部に開設されたねじ孔部２Ｂ，３Ｂを利用して取り付けられる側板１１，１１と，前記背板部２の平面部に開設されたアタッチメント取付用のねじ孔部２Ｂ，２Ｂを利用して後端部がねじ５で係止保持される棚体１２と，から構成されている。
【００３１】
このアタッチメント取付用のねじ孔部２Ｂ，２Ｂに螺着されるねじ５の先端部は，前記背板部２の表面側に配設された側面形状が横倒略Ｕ字状に形成された挟持具６に螺着されて棚板１２を保持され，かつ，該挟持具６の下面部には，ねじ孔が開設されていて，該ねじ孔にねじ５Ａを螺装することで，該ねじ５Ａの先端部が棚板１２を挟持具６に強く押圧して棚板１２を水平に保持するように構成されている。尚，上記底板部３に，水切り用の孔（図示せず）を複数開設することで，シェルフ１０を水切り棚として使用することもできる。また，図中符号４は，吊戸棚や固定棚７（図５参照）の下面に，同シェルフ１０や後記するブックスタンド２０或は収納ボックス３０を吊持するときに用いられる棚部材取付用の傾斜片であり，該傾斜片４には，長孔状に形成された取付孔８，８が複数個開設されて構成されている。
【００３２】
このように，本実施形態例に係るシェルフ１０は，前記構成からなる棚部材１と，該棚部材１の背板部２と底板部３の両側部２Ａ，２Ａ，３Ａ，３Ａに開設されたねじ孔部２Ｂ，３Ｂを利用して取り付けられる側板１１と，前記背板部２の平面部に開設されたアタッチメント取付用のねじ孔部２Ｂを利用して後端部が挟持具６で係止保持される棚体１２と，から構成したので，側板１１と棚体１２及び挟持具６とを用意するだけで，所望のシェルフ１０を容易に組立てることができ，また，用意する部品も少なくて済むので，廉価に組立てることができる。
【００３３】
次に，上記のように構成されてなる棚部材１を用いてブックスタンド２０を構成する場合について説明する。
【００３４】
ここで，図９は同棚部材を用いたブックスタンド２０の正面図，図１０は同ブックスタンド２０の左側面図，図１１は同ブックスタンド２０の半截平面図及び半截底面図の合成図である。
【００３５】
本実施形態例に係るブックスタンド２０は，前記構成からなる棚部材１と，該棚部材１の背板部２と底板部３の両側部２Ａ，２Ａ，３Ａ，３Ａに開設されたねじ孔部２Ｂ，３Ｂを利用して取り付けられる上記シェルフ１０の側板１１，１１と同様の構成からなる側板２１，２１と，上記背板部２の前面側に取り付けられる金属製或は合成樹脂製のブックホルダー体２２と，から構成されている他は，他の構成は前記シェルフ１０と同様であるので，図面にはシェルフ１０の説明で用いた符号と同一の符号を付して，その詳細な説明をここでは省略する。
【００３６】
このブックホルダー体２２は，前記背板部２の平面部に開設されたアタッチメント取付用のねじ孔部２Ｂを利用して，その後端部が前記と同様の構成からなる挟持具６を介してねじ止めされる水平部２３と，該水平部２３の前端部から斜め前方に傾斜する本受部２４と，該本受部２４の下端から前方水平方向に伸び前記棚部材１の底板部３と接して保持される底部２５と，該底部２５の前端部から上方向に伸びる係止部２６と，で一体形成されている。
【００３７】
このように，本実施形態例に係るブックスタンド２０にあっては，前記棚部材１と，該棚部材１の背板部２と底板部３の両側部２Ａ，２Ａ，３Ａ，３Ａに開設されたねじ孔部２Ｂ，３Ｂを利用して取り付けられる側板２１，２１と，上記背板部の前面側に取り付けられるブックホルダー体２２と，から構成したので，両側板２１，２１とブックホルダー体２２を用意するだけで，ブックスタンド２０を容易に組立て，或はシェルフ１０からブックスタンド２０へと変更することができ，しかも，棚部材１は共用できるので，廉価に用途を変更することができる。
【００３８】
次に，上記のように構成されてなる棚部材１を用いて収納ボックス３０を構成する場合について説明する。
【００３９】
ここで，図１２は同棚部材を用いた収納ボックスの正面図，図１３は同収納ボックスの左側面図，図１４は同収納ボックスの半截平面図及び半截底面図の合成図，図１５は同収納ボックスを固定棚の下方に取り付けた状態を示す断面図，図１６は同収納ボックスを固定棚の下方に取り付けるときに使用する吊持具の一構成例を示す断面図，図１７は同収納ボックスに取り付けられた扉体を収納するときの第１作動例を示す断面図，図１８は同収納ボックスに取り付けられた扉体を収納するときの第２作動例を示す断面図，図１９は同収納ボックスに取り付けられた扉体を収納するときの第３作動例を示す断面図，図２０は同収納ボックスに取り付けられた扉体の収納状態例を示す断面図，図２１は同ブックスタンド，シェルフ及び収納ボックスを固定棚下面に並べて取り付けた状態を示す正面図である。
【００４０】
本実施形態例に係る収納ボックス３０は，前記構成からなる棚部材１と，該棚部材１の背板部２と底板部３の両側部２Ａ，２Ａ，３Ａ，３Ａに開設されたねじ孔部２Ｂ，３Ｂを利用して取り付けられる側板３１，３１と，該両側板３１，３１及び棚部材１と底板部３とで囲繞された前方空間部を開閉する扉体３３と，から構成されている他は，他の構成は前記シェルフ１０と同様であるので，図面にはシェルフ１０の説明で用いた符号と同一の符号を付して，その詳細な説明をここでは省略する。また，本実施形態例では，扉体３３が収納されたときに，該扉体３３が天井板としても機能するので，アタッチメントとはしていないが，必要に応じて天井板を取り付けても構わない。
【００４１】
そして，前記両側板３１，３１の内側上部には，手前側から奥行方向に水平に延びるガイドレール３４，３４が取り付けられていると共に，前記扉体３３の上端両側部にはガイド突起３５，３５が突設されており，各ガイド突起３５，３５は，両ガイドレール３４，３４に沿ってスライド自在に嵌合係止されている。尚，本実施形態例では，両側板３１，３１にガイドレール３４，３４を取り付けた場合を例にとり説明したが，この発明に合ってはこれに限定されるものではなく，両側板３１，３１にガイド溝を形成し，該ガイド溝に沿って上記ガイドとっき３５，３５をスライド自在に嵌合係止するように構成しても同様の効果が得られる。
【００４２】
このように構成されてなる収納ボックス３０は，図１５に示すように，例えば，キッチンの壁面Ｗに固定されている固定棚７の下方に取り付けることができる。
【００４３】
このときに用いられる吊持具４０としては，本出願人が先に提案している吊持具を用いることができる（特開平１１−１９７０３７号公報）。
【００４４】
この吊持具４０は，固定棚７の下面に固定可能な上部水平片４０ａと，壁面Ｗに固定可能な垂直片４０ｂと，この垂直片４０ｂの下端より前方に延出する短寸の下部水平片４０ｃとを備え，これら上部水平片４０ａ，垂直片４０ｂ及び下部水平片４０ｃは，それらの内面同士を結合している３枚の補強片４３により補強されている。
【００４５】
そして，上記上部水平片４０ａの前端と下部水平片４０ｃの前端との間には，ほぼ４５度傾斜して対向する２枚ずつの案内板４４，４４が所要寸法離間してそれぞれ連設され，上下それぞれの案内板４４間には，互いに平行をなして対向する１対の案内溝４５が長手方向に沿って形成されている。
【００４６】
それ故，上記吊持具４０，上部水平片４０ａと垂直片４０ｂとを，ねじ４８をもって固定棚７の下面と壁面Ｗとにそれぞれねじ止めすることにより，それらの隅部に取付けることができる。
【００４７】
次に，このように構成されてなる吊持具４０の傾斜した案内板４４，４４に前記棚部材１の傾斜片４を当て，ボルト頭部４６が予め前記案内溝４５に係止されたボルトねじ部に傾斜片４のねじ孔８を挿通した後，ナット４７で緊締することで，収納ボックス３０を固定棚７の下方に取り付けることができる。勿論，この発明にあっては，収納ボックス３０等を上記吊持具４０で取り付ける必要性は必ずしもなく，公知の取付具を適宜選択して固定棚７或は吊戸棚の下方に取り付けても構わない。
【００４８】
このように収納ボックス３０を取り付けた場合，図１７乃至図２０に示すように，扉体３３が持ち上げられて収納ボックス３０の内側に収納されるため，扉体３３が必要以上に前方に突出することがなく安全であり，また，扉体３３から手を離しても扉体３３が落下いしないので，収納ボックス３０への物品の収納或は取り出し作業を両手で行うことができ，使い勝手が良好となる，という効果が得られると共に，図２１に示すように，収納ボックス３０の隣に配置された他のシェルフ１０やブックスタンド２０が扉体３３を開けることで塞がれてその使用を妨げられる心配がなく，使い勝手がさらに向上する，という効果も得られる。
【００４９】
勿論，この実施形態例に係る収納ボックス３０は，以上のように構成されているので，両側板３１，３１と扉体３３及び必要に応じて天井板を用意するだけで，収納ボックス３０を容易に組立てることができ，しかも，棚部材１は共用できるので，廉価に用途を変更することができる。
【００５０】
尚，上記各実施形態例では，棚部材１をシェルフ１０や水切り棚，ブックスタンド２０及び収納ボックス３０に利用した場合を例にとり説明したが，この発明にあってはこれに限定されるものではなく，他のアタッチメント部品を用意することで，各種の家具にも適用することができる。
【図面の簡単な説明】
【００５１】
【図１】この発明に係る棚部材の正面図である。
【図２】同棚部材の背面図である。
【図３】同棚部材の左側面図である。
【図４】同棚部材の平面図である。
【図５】同棚部材の底面図である。
【図６】同棚部材を用いたシェルフの正面図である。
【図７】同シェルフの左側面図である。
【図８】同シェルフの半截平面図及び半截底面図の合成図である。
【図９】同棚部材を用いたブックスタンドの正面図である。
【図１０】同ブックスタンドの左側面図である。
【図１１】同ブックスタンドの半截平面図及び半截底面図の合成図である。
【図１２】同棚部材を用いた収納ボックスの正面図である。
【図１３】同収納ボックスの左側面図である。
【図１４】同収納ボックスの半截平面図及び半截底面図の合成図である。
【図１５】同収納ボックスを固定棚の下方に取り付けた状態を示す断面図である。
【図１６】同収納ボックスを固定棚の下方に取り付けるときに使用する吊持具の一構成例を示す断面図である。
【図１７】同収納ボックスに取り付けられた扉体を収納するときの第１作動例を示す断面図である。
【図１８】同収納ボックスに取り付けられた扉体を収納するときの第２作動例を示す断面図である。
【図１９】同収納ボックスに取り付けられた扉体を収納するときの第３作動例を示す断面図である。
【図２０】同収納ボックスに取り付けられた扉体の収納状態例を示す断面図である。
【図２１】同ブックスタンド，シェルフ及び収納ボックスを固定棚下面に並べて取り付けた状態を示す正面図である。
【符号の説明】
【００５２】
１  棚部材
２  背（板）部
３  底（板）部
２Ａ，３Ａ  側部
２Ｂ，３Ｂ  アタッチメント用のねじ孔部
４  傾斜片
５，５Ａ  ねじ
６  挟持具
７  固定棚
８  取付孔
１０  シェルフ
１１  側板
１２  棚体
２０  ブックスタンド
２１  側板
２２  ブックホルダー体
３０  収納ボックス
３１  側板
３３  扉体
３４  ガイドレール
３５  ガイド突起
【図１】
2006212221.tif 000003
【図２】
2006212221.tif 000004
【図３】
2006212221.tif 000005
【図４】
2006212221.tif 000006
【図５】
2006212221.tif 000007
【図６】
2006212221.tif 000008
【図７】
2006212221.tif 000009
【図８】
2006212221.tif 000010
【図９】
2006212221.tif 000011
【図１０】
2006212221.tif 000012
【図１１】
2006212221.tif 000013
【図１２】
2006212221.tif 000014
【図１３】
2006212221.tif 000015
【図１４】
2006212221.tif 000016
【図１５】
2006212221.tif 000017
【図１６】
2006212221.tif 000018
【図１７】
2006212221.tif 000019
【図１８】
2006212221.tif 000020
【図１９】
2006212221.tif 000021
【図２０】
2006212221.tif 000022
【図２１】
2006212221.tif 000023